(57)【特許請求の範囲】
【請求項１】
ストリーム情報を選択してダイジェストを作成するため、ストリーム情報に付加されているダイジェストの作成情報を取得する情報取得手段と、ダイジェストを作成するための条件の一部を使用者が入力設定する条件入力手段と、取得した前記作成情報と入力設定された前記作成条件に基づいて、ダイジェストを再生する時間を含む全ての作成条件を設定してタイムスケジュールを作成するタイムスケジュール作成手段と、前記タイムスケジュールに基づいてストリーム情報からダイジェストを作成し出力するダイジェスト作成手段とを備え、
前記作成条件には、音声又は字幕を、映像から独立させて再生することが含まれ、前記ダイジェスト作成手段は、ダイジェスト再生時に音声又は字幕を、映像から独立させて再生することを特徴とするダイジェスト作成装置。
【請求項２】
前記作成条件には、標準速再生と数倍速再生が含まれ、前記ダイジェスト作成手段は、数倍速再生が可能であることを特徴とする請求項１に記載のダイジェスト作成装置。
【請求項３】
前記数倍速再生において、再生速度を可変することができることを特徴とする請求項２に記載のダイジェスト作成装置。
【請求項４】
前記タイムスケジュール作成手段で作成したタイムスケジュールの内容を表示させる手段を備え、使用者は表示されたタイムスケジュールを確認できることを特徴とする請求項１から請求項３のいずれか１項に記載のダイジェスト作成装置。
【請求項５】
前記条件入力手段によりダイジェスト再生時間が入力された場合、前記タイムスケジュール作成手段は、ダイジェストの実際の再生時間が、入力された前記再生時間に最も近くなるように、前記作成条件を設定することを特徴とする請求項１から請求項３のいずれか１項に記載のダイジェスト作成装置。
【請求項６】
前記ダイジェスト作成情報には、映像、音声または字幕の重要度を示す情報が含まれ、
前記タイムスケジュール作成手段は、
前記条件入力手段から重要度を示す作成条件が入力された場合は、その重要度以上のストリーム情報を選択すると同時に、その選択したストリーム情報からダイジェスト再生時間を決定し、
前記条件入力手段からダイジェスト再生時間が入力された場合は、その再生時間が最も近くなる重要度を決定することを特徴とする請求項１から請求項４のいずれか１項に記載のダイジェスト作成装置。
【請求項７】
前記ダイジェスト作成情報には、音声または字幕の有無を示す情報が含まれ、前記タイムスケジュール作成手段は、音声または字幕がない部分のストリーム情報を選択しないか数倍速再生するように作成条件を設定することを特徴とする請求項２又は請求項３に記載のダイジェスト作成装置。
【請求項８】
前記ダイジェスト作成情報には、類似した映像の連続を示す情報が含まれ、前記タイムスケジュール作成手段は、類似した映像の連続部分のストリーム情報を選択しないか、数倍速再生するように作成条件を設定することを特徴とする請求項３又は４に記載のダイジェスト作成装置。
【請求項９】
ストリーム情報の通常再生指示が入力された場合、ダイジェスト再生より通常再生を優先することを特徴とする請求項１から請求項８のいずれか１項に記載のダイジェスト作成装置。
【発明の詳細な説明】
【０００１】
【発明の属する技術分野】
本発明は、映像または音声情報等からダイジェストを作成するダイジェスト作成装置に関し、映像信号や音声信号ソフトウェアに付加された所定情報を用いて使用者の希望する長さまたは内容のダイジェストを作成する技術に係わる。
【０００２】
【従来の技術】
近年、ＶＴＲやＤＶＤ等の様々の映像ソフトが提供されており、またテレビ番組を録画する機会も増えている。このような映像データをすべて見るには、時間が限られており、短時間で映像内容を把握し、見るべきものか否かを判断する必要がある。そのため、ダイジェストを作成してユーザが簡単に内容を把握できるものが提案されている。
【０００３】
従来の技術におけるダイジェスト映像の作成は、特開平８−２９４０８３号公報、特開平９−２８４６９８号公報、特開平１０−２３２８８４号公報及び特開平１１−８８８０７号公報に開示されているように、ダイジェスト作成装置に予め設定された基準に基づき、記録映像の中で重要度の高いシーンを抽出してそれを繋ぎ合わせるものが開示されている。しかし、これではダイジェスト映像の抽出基準が予め設定されているので、ユーザの興味や要求とは異なるダイジェスト映像が作成されてしまう欠点があった。
【０００４】
そこで、特開平１１−２３８０７１号公報に、映像や音声等を含むストリーム情報を形成するシーンに所定の属性情報（例えば重要度）を付加しておき、予め設定された基準とユーザが指定した調整値とを加味して、属性情報からシーンを抽出してそれを繋ぎ合わせるものが提案されている。
【０００５】
【発明が解決しようとする課題】
しかしながら、上述した何れのダイジェスト映像の場合においても、作成されたダイジェストは静止画の連続で短時間であるため、ダイジェスト映像の試聴目的としては、映画・ドラマ等の内容確認もしくはニュース・スポーツ等の結果確認に限られてしまい、映像内容に興味を持った場合には、結局全編を視聴しなければならない問題を有している。
【０００６】
従って、本発明は、このような従来の技術の問題点を鑑みなされたものであって、その目的は、使用者がその嗜好に合わせてダイジェストの時間及び内容を任意に、かつ、簡単に設定することができ、より的確なダイジェストを作成することができるダイジェスト作成装置を提供することにある。また、本発明は、再生速度を選択して再生しないで切り捨てる区間を極力抑え、元の内容をより残した形態でダイジェストを作成することができるダイジェスト作成装置を提供することにある。
【０００７】
【課題を解決するための手段】
本発明は、ストリーム情報を選択してダイジェストを作成するため、ストリーム情報に付加されているダイジェストの作成情報を取得する情報取得手段と、ダイジェストを作成するための条件の一部を使用者が入力設定する条件入力手段と、取得した前記作成情報と入力設定された前記作成条件に基づいて、ダイジェストを再生する時間を含む全ての作成条件を設定してタイムスケジュールを作成するタイムスケジュール作成手段と、前記タイムスケジュールに基づいてストリーム情報からダイジェストを作成し出力するダイジェスト作成手段とを備え、前記作成条件には、音声又は字幕を、映像から独立させて再生することが含まれ、前記ダイジェスト作成手段は、ダイジェスト再生時に音声又は字幕を、映像から独立させて再生することを特徴とする。また、前記作成条件には、標準速再生と数倍速再生が含まれ、前記ダイジェスト作成手段は、数倍速再生が可能である。さらに、前記数倍速再生において、再生速度を可変することができる。
【０００９】
また、本発明は、前記タイムスケジュール作成手段で作成したタイムスケジュールの内容を表示させる手段を備え、使用者は表示されたタイムスケジュールを確認できることを特徴とする。
【００１０】
また、本発明は、前記条件入力手段によりダイジェスト再生時間が入力された場合、前記タイムスケジュール作成手段は、ダイジェストの実際の再生時間が、入力された前記再生時間に最も近くなるように、前記作成条件を設定することを特徴とする。
【００１１】
また、本発明は、前記ダイジェスト作成情報には、映像、音声または字幕の重要度を示す情報が含まれ、前記タイムスケジュール作成手段は、前記条件入力手段から重要度を示す作成条件が入力された場合は、その重要度以上のストリーム情報を選択すると同時に、その選択したストリーム情報からダイジェスト再生時間を決定し、前記条件入力手段からダイジェスト再生時間が入力された場合は、その再生時間が最も近くなる重要度を決定することを特徴とする。
【００１２】
また、本発明は、前記ダイジェスト作成情報には、音声または字幕の有無を示す情報が含まれ、前記タイムスケジュール作成手段は、音声または字幕がない部分のストリーム情報を選択しないか数倍速再生するように作成条件を設定することを特徴とする。
【００１３】
また、本発明は、前記ダイジェスト作成情報には、類似した映像の連続を示す情報が含まれ、前記タイムスケジュール作成手段は、類似した映像の連続部分のストリーム情報を選択しないか、数倍速再生するように作成条件を設定することを特徴とする。
【００１４】
また、本発明は、ストリーム情報の通常再生指示が入力された場合、ダイジェスト再生より通常再生を優先することを特徴とする。
【００１５】
この構成によれば、作成するダイジェストの時間またはダイジェストの詳細を含む作成条件を設定する設定手段が設けられるため、使用者の嗜好に合致したダイジェストを作成することが可能になる。
【００１６】
また、ダイジェスト作成情報と、作成条件と、数倍速再生の使用の可否を用いることにより、タイムスケジュールを作成することができるようになり、より的確に使用者の嗜好に合致したダイジェストを作成することが可能になると共に、再生速度を選択して再生しないで切り捨てる区間を極力抑え、元の内容をより残した形態でダイジェストを作成することが可能になる。
【００１７】
【発明の実施の形態】
以下、本発明の一実施形態について図面を参照して説明する。
図１は、本発明に係るダイジェスト作成装置の一実施形態を示すブロック図である。図１において、１で示されるのがＶＴＲやＤＶＤ記録／再生装置等の再生機器であり、２で示されるのが表示デバイスやスピーカ等を備えた表示装置である。ダイジェスト作成装置３は、図１に示すように別体の再生機器１と、表示装置２との間に介在して設置されている。
ダイジェスト作成装置３は、各情報を格納するメモリ１３と、各部を制御する制御部１５と、ダイジェスト作成するための作成条件を全て設定してタイムスケジュールを作成するスケジュール作成部１６と、使用者がダイジェスト作成条件を入力する入力手段２３と、再生機器１から再生されたストリーム情報から付加されたダイジェスト作成情報を取得するダイジェスト情報取得手段２４と、タイムスケジュールに基づいてダイジェストを作成出力するダイジェスト作成手段２５とを備える。
【００１８】
メモリ１３は、ダイジェスト作成情報蓄積部１３ａ、ダイジェストスケジュール蓄積部１３ｂ、設定条件蓄積部１３ｃ等を有する。入力手段２３は、リモコンやキーボード等からなる入力装置２３、入力インターフェース部２１、設定条件処理部１８からなる。ダイジェスト情報取得手段２４は、データスライサ１１、データデコーダ１２からなる。ダイジェスト作成手段２５は、映像信号処理部１４、ＯＳＤ出力部１７、映像出力部１９、音声出力部２０からなる。
【００１９】
このダイジェスト作成装置３は、再生機器１からストリーム情報（映像、音声、字幕情報）に付加されているダイジェスト作成情報を取り込むと共に、使用者が作成条件を入力して、このダイジェスト作成情報と作成条件に応じてダイジェストを再生するためのタイムスケジュールを作成する。そして、そのタイムスケジュールに従ってストリーム情報を表示装置２に再生する。
【００２０】
再生装置１により再生されるストリーム情報は、映像、音声、字幕等の情報であり、販売及びレンタル用ソフトウェアまたは放送番組を録画したものである。このストリーム情報は、ビデオテープやＤＶＤ等の記憶媒体に記憶されている。さらに、ストリーム情報には、予めダイジェスト作成に必要な情報が含まれている。例えば、映像、音声及び字幕の重要度を示す情報や、映像、音声及び字幕の有無を示す情報等である。
【００２１】
また、ダイジェスト作成情報に関するデータは、ソフトウェアの冒頭部分に一纏まりに挿入されていることが望ましいが、冒頭以外の部分または数カ所に上記データが挿入されている場合等も考慮し、一纏まりの上記データの先頭部分にデータの始点を示すラベルが挿入されることが望ましい。この始点を示すラベルは、データの検出時間の短縮のために早送りで再生を行っても検出できるものが採用される。また、ソフトウェアの数カ所に上記データが挿入されている場合には、各箇所の終点ラベルと、最終箇所の終点ラベルとを区別できるようにするか、または、上記データの一纏まりの数を示すデータを挿入する。また、ソフトウェアの冒頭部分に上記データの挿入箇所を示すデータが挿入されていることが最も望ましい。この場合、制御部１５は、再生機器１に対してスキップ等の指示を行い、迅速にデータの分離抽出及び蓄積を行うことができる。
【００２２】
さて、使用者がダイジェスト作成のために入力装置２２からダイジェスト作成のキーを押したとする。この信号は、入力インターフェース部２１を介して制御部１５に入力される。制御部１５は、ＯＳＤ出力部１７を制御して映像出力部１９にて合成画面出力を形成し、表示装置２に設定入力画面を表示すると共に、設定条件処理部１８を設定受け付け状態に制御する。
【００２３】
使用者は、設定入力画面を見ながら入力手段２３の入力装置２２を用いてダイジェストの作成条件の一部を入力する。入力装置２２を介して入力された条件の情報は、入力インターフェース部２１を介して設定条件処理部１８に供給される。設定条件処理部１８は、ダイジェストの作成条件を示す情報をメモリ１３に供給し、設定条件蓄積部１３ｃに格納する。
【００２４】
また、制御部１５は、再生機器１に対して再生指示を送り、再生機器１がストリーム情報を再生する。再生機器１から出力される映像信号がダイジェスト作成情報取得手段２４のデータスライサ１１に供給され、データスライサ１１の出力がデータデコーダ１２に供給されてデコードされる。こうして、上述したダイジェスト作成に係わるダイジェスト作成情報が分離抽出される。この分離抽出されたダイジェスト作成情報がメモリ１３に供給され、ダイジェスト作成情報蓄積部１３ａに蓄積される。
ダイジェスト作成情報のデータの終点には、データの終了を示すラベルを意味するデータが挿入されており、制御部１５は、その終了を示すデータを検出して再生機器１に対して再生停止指示を送り、ダイジェスト作成情報の取得を終了する。
【００２５】
スケジュール作成部１６は、上述したように設定されたダイジェストの作成条件と、ダイジェスト作成情報とに基づいて、再生時間、再生速度、選択するストリーム情報等のダイジェスト作成条件を設定し、ダイジェストのタイムスケジュールを作成する。スケジュール作成部１６において作成されたタイムスケジュールがメモリ１３に供給され、ダイジェストスケジュール蓄積部１３ｂに格納される。
【００２６】
ダイジェストを再生する場合、使用者が入力装置２２に対してダイジェスト再生を行うための所定操作を行う。この操作信号を受けた制御部１５は、メモリ１３のダイジェストスケジュール蓄積部１３ｃに蓄積されているタイムスケジュールを読み出し、その読み出したタイムスケジュールに従って再生機器１を制御する。再生機器１において、ダイジェストとして選択されたストリーム情報から再生された映像信号が、ダイジェスト作成手段２５の映像信号処理部１４に供給され、そこから映像出力部１９に供給される。
【００２７】
また、再生された字幕情報は、ダイジェスト作成手段２５のＯＳＤ出力部１７に供給され、そこから映像出力部１９に出力されて、映像信号処理部１４の出力と合成される。この合成画面出力が表示装置２に供給され、ダイジェスト映像と字幕とが表示される。
また、再生された音声情報は、ダイジェスト作成手段２５の音声出力部２０に供給され、表示装置２に出力して、表示装置２において音声を発生させる。こうして、映像、音声、字幕を含むダイジェストを表示装置２により表示出力する。なお、ダイジェスト再生時において、制御部１５は、再生機器１の操作入力部あるいは入力装置２２の再生機器１に対する操作ボタンが押された場合には、ダイジェストの再生動作より、押されたボタンの指示動作を優先させる。
【００２８】
次に、このダイジェスト作成装置３におけるダイジェストの再生動作およびタイムスケジュールの作成動作についてさらに詳細に説明する。
使用者が入力装置２２に対して所定の操作を行うと、制御部１５は、映像出力部１９を制御して、図２（ａ）に示すようにメニュー表示３１を表示装置２に表示させる。そして、例えば、使用者が入力装置２２の上下カーソルキーと確定キーの操作によりダイジェスト設定３２を選択すると、制御部１５は、図２（ｂ）に示すようにダイジェスト再生の可否及び設定選択を示す表示３３を表示装置２にさせる。
【００２９】
図２（ｂ）では、「ダイジェスト：ＯＮ」が選択された状態を示す。この状態においては、再生機器１において、ダイジェストの作成条件によって作成されたタイムスケジュールによる再生動作がなされる。また、この状態においては、使用者が、再生機器１の操作入力部の操作ボタンや外部コントロールユニット等の操作ボタンを使用して再生・巻き戻し・早送り等の動作を再生機器１に対して指示することができる。
なお、図２（ｂ）に示すように、モアマーカ３４により、表示３３において選択したものが使用者にわかりやすいようにしてある。
【００３０】
ダイジェスト再生の可否は、例えば、入力装置２２の左右カーソルキー等の操作により、「ダイジェスト：ＯＮ」から「ダイジェスト：ＯＦＦ」、「ダイジェスト：ＯＦＦ」から「ダイジェスト：ＯＮ」に切り替えられ、確定キーにより選択される。「ダイジェスト：ＯＦＦ」の状態では、ダイジェスト再生動作を実行せず、再生機器１の操作入力部の操作ボタンや外部コントロールユニット等の操作ボタンを使用して再生・巻き戻し・早送り等の動作を再生機器１に対して指示することのみができる。
【００３１】
図３（ａ）に示すように、表示３３において、「時間設定」が選択されたとする。制御部１５は、図３（ｂ）に示す時間設定画面３５を表示装置２２に表示される。時間設定画面３５の上段側に設定時間の入力スペース３６が設けられ、下段側にダイジェストの詳細が表示される。ダイジェスト作成条件の詳細の表示には、図３（ｂ）に示すように通常再生時間、ダイジェスト設定時間、ダイジェスト再生時間、重要度、倍速再生の使用の各項目が設けられている。
【００３２】
使用者は入力装置２２を用いて、この上段側の入力スペース３６にカーソルを移動してダイジェストの再生時間を入力する。なお、ダイジェストの時間の入力は、使用者によりテンキーにて直接入力させる方法、または、上下カーソルキー等にて数字を選択させる方法のいずれの方法を採用しても良い。
【００３３】
この入力時間データは、入力インターフェース部２１と設定条件処理部１８を介してメモリ１３の設定条件蓄積部１３ｃに格納されると同時に、制御部１５にも送られ、時間設定画面３５の上段のスペース３６に表示される。この入力時間データは、メモリ１３からスケジュール作成部１６へ入力される。同時に、ダイジェスト作成情報蓄積部１３からはダイジェスト作成情報がスケジュール作成部１６に入力される。こうして、スケジュール作成部１６において、入力時間データに最も近くなるようにダイジェストの作成条件の詳細が自動設定されて、タイムスケジュールが作成される。このタイムスケジュールのデータは、ダイジェストスケジュール蓄積部１３ｂに格納されると同時に、制御部１５にも送られ、時間設定の表示画面３５の下段に表示される。
【００３４】
図４は、この具体例を示す表示画面３５を示す説明図である。
使用者が入力した設定時間が９０min、ダイジェストの作成対象とされているソフトウェアの通常再生時間が１３２min 、スケジュール作成部１６が設定したダイジェスト再生時間が８６minとなっている。さらにスケジュール作成部１６が設定した条件が、表示重要度３以下を削除、映像及び音声は倍速再生使用である。実際のダイジェスト設定時間が８６minとするため、スケジュール作成部１６は次のような動作を行っている。
【００３５】
ここで、時間設定画面上の重要度に示される数値は、ソフトウェアによって形成される各画面（シーン）に対して１を最低とすると共に、１０を最高として１０段階に付されている。この重要度を示す情報は、各画面に対応するストリーム情報に付加されており、この情報がダイジェスト作成情報蓄積部１３ａにダイジェスト作成情報として格納されている。
【００３６】
スケジュール作成部１６が詳細なダイジェスト作成条件を設定する動作を次に述べる。
まず、選択するストリーム情報の重要度の下限を１〜１０に可変して、選択したストリーム情報の再生時間を算出する。このとき、倍速再生を行うか否かの判断も行う。そして、その内で最も設定時間９０minに近くなるもの条件を採用する。さらに、削除対象とされる画面の前後関係や再生機器１の都合により削除が困難であったり、非効率であったりする場合には、重要度の判定基準以下の画面であっても削除しないようにダイジェストの作成がなされる。
【００３７】
図４に示す設定状態から変更を行う場合には、時間設定画面３５上の詳細設定を選択する。図５は、図４に示す時間設定画面３５から詳細設定画面３７に切り替わった場合の例を示す。図５に示すようにこの場合には、上段側にダイジェストの作成条件の詳細が表示され、下段側にダイジェストの時間が表示され、詳細設定の変更を行うことが可能になる。
【００３８】
図６（ａ）に示すように、表示３３において、「詳細設定」が選択されたとする。制御部１５は、図６（ｂ）に示す時間設定画面３７を表示装置２２に表示される。時間設定画面３７の上段側に詳細の作成条件である重要度の入力スペース３９が設けられると共に、倍速再生使用の有無の入力スペース３９，４０が設けられている。下段側にダイジェストの通常再生時間とダイジェスト再生時間が表示される。
【００３９】
使用者が入力装置２２を用いて、この入力スペース３７，３８，３９のそれぞれにカーソルを移動して入力操作を行う。この条件データは、入力インターフェース部２１と設定条件処理部１８を介してメモリ１３の設定条件蓄積部１３ｃに格納されると同時に、制御部１５にも送られ、時間設定画面３５の上段のスペース３７，３８，３９に表示される。この入力条件データは、メモリ１３からスケジュール作成部１６へ入力される。同時に、ダイジェスト作成情報蓄積部１３からはダイジェスト作成情報がスケジュール作成部１６に入力される。こうして、スケジュール作成部１６において、入力条件データに基づいて、ダイジェスト作成情報からストリーム情報が選択され、タイムスケジュールが作成される。このタイムスケジュールのデータは、ダイジェストスケジュール蓄積部１３ｂに格納されると同時に、制御部１５にも送られ、表示画面３５の下段にダイジェスト再生時間が表示される。
【００４０】
図７は、上述したようにダイジェスト作成条件の詳細が入力設定されて決定選択された詳細設定画面３７の具体例を示す。入力条件は、図７に示すように、重要度が５に、倍速再生は使用有りとされている。スケジュール作成部１６が作成したタイムスケジュールは、ダイジェストの作成対象とされているソフトウェアの通常再生時間が１２３min 、ダイジェスト再生時間が５７min である。
【００４１】
なお、図７に示す設定状態から変更を行う場合には、詳細設定画面３７上の詳細設定を選択する。図８は、図７に示す詳細設定画面３７から詳細設定画面３５に切り替わった場合の例を示す。図８に示すようにこの場合には、前述した場合と同様に上段側にダイジェストの時間が表示され、下段側にダイジェストの詳細が表示され、時間設定の変更を行うことが可能になる。
【００４２】
また、上述した具体例の説明においては、重要度の選択基準以下の画面を再生せずに削除する場合について説明したが、この実施形態においては、判定基準以下の画面を削除することなく数倍速再生するように設定することも可能とされており、また、その数倍速再生の速度を異ならせて任意に設定することも可能とされている。
【００４３】
こうして、使用者の嗜好に合致したダイジェストをより的確に作成することができ、再生速度を選択して再生しないで切り捨てる区間を極力抑え、元の内容をより残した形態でダイジェストを作成することができる。また、音声または字幕が映像と独立しているため、音声及び字幕を犠牲にすることなく映像の削除または数倍速再生を使用することができる。ダイジェストの再生中においても再生機器の操作ボタンが有効になると共に、外部コントロールユニットにより動作を指示することができるため使い勝手が向上し、使用者の意向に沿って柔軟に対応することができる。
【００４４】
また、上述の実施形態においては、スケジュール作成部１６において、ダイジェストの作成条件と、ダイジェスト作成情報とに基づいて標準再生する区間と、数倍速再生するストリーム情報または再生しないストリーム情報を指定するようにダイジェストのタイムスケジュールを作成する場合について説明したが、さらに、類似した映像の連続や音声または字幕の少ない部分を検出し、スケジュール作成部１６において、この検出結果も加味して標準再生、数倍速再生、再生無しを指定して、ダイジェストのタイムスケジュールを作成するようにしても良い。このようにすることで、ダイジェスト作成に係わる所定情報が不足している場合においても、ダイジェストのタイムスケジュールを作成する上で必要となる情報を自ら生成することができ、より的確に使用者の嗜好に合致したダイジェストを作成することが可能になる。
【００４５】
また、上述した一実施形態においては、ダイジェストの詳細の重要度の判定基準を一つだけ設けて、判定基準以下の画面を再生しないか、もしくは、数倍速再生するようにタイムスケジュールを作成する場合について説明したが、重要度の選択基準を二つに分けて設け、通常再生と、数倍速再生と、再生無しの３つに分け、それらを組み合わせてタイムスケジュールを作成するようにしても良い。また、数倍速再生する区間において重要度の低い画面が連続する程、再生速度を速くし、また、重要度が高い画面が連続する程、再生速度を遅くするように自動で可変させても良い。
【００４６】
さらに、上述の実施形態においては、ダイジェスト作成に係わる所定情報に、映像、音声及び字幕の重要度を示す情報と、映像、音声及び字幕の有無を示す情報とが含まれている場合について説明したが、それら情報の代わりに、ダイジェストの設定時間が何分なら対象となる画面を再生しない、または、数倍速再生を行うことを指示する情報を含めるようにしても良く、この場合には、再生対象となるソフトウェア側に設定時間に直接対応する情報が含まれるため、重要度の選択基準によってタイムスケジュールを作成する場合に比べて処理が簡素化される。また、これら両者の情報を含むようにし、どちらか一方を利用するように設定してタイムスケジュールを作成するようにしても良く、また、両者の情報を用いてタイムスケジュールを作成するようにしても良い。
【００４７】
また、上述の実施形態においては、別体の再生機器１と、表示装置２との間に介在して設定された作成条件に応じてダイジェスト作成するためのタイムスケジュールを作成し、そのタイムスケジュールに従って再生機器１を制御し、映像または音声または字幕とからなるダイジェストを表示装置２を用いて出力する場合について説明したが、再生機器１及び表示装置２を別体とせず、一体とした構成としても良い。また、字幕のみを表示する別体の表示装置やダイジェストの作成条件の設定に係わる表示を行う専用の表示装置を設けるようにしても良い。
【００４８】
なお、本発明が上記各実施形態に限定されず、本発明の技術思想の範囲内において、各実施形態は適宜変更され得ることは明らかである。また、上記構成部材の数、位置、形状等は、上記各実施形態に限定されず、本発明を実施する上で好適な数、位置、形状にすることができる。また、各図における同一の構成要素には、同一の参照符号が付されている。
【００４９】
【発明の効果】
本発明によれば、入力手段により使用者が任意のダイジェスト作成条件を入力して、タイムスケジュール作成手段がダイジェスト作成情報と設定された作成条件に基づいて他の作成条件を設定するので、使用者がその嗜好に合わせてダイジェストの時間及び内容を任意に、かつ、簡単に設定することができる。
【００５０】
また、本発明によれば、音声又は字幕を、映像から独立させて再生することができるので、音声や字幕を犠牲にすることなく、映像の削除や、数倍速再生ができる。
【００５１】
また、本発明によれば、標準速再生と数倍速再生の併用ができるので、映像を犠牲にしないで、再生時間を短くすることができる。さらに、数倍速再生において、再生速度を可変することができることにより、使用者が設定したダイジェスト再生時間に合わせて、映像をできるだけ犠牲にすることなく、ダイジェストを作成できる。
【００５２】
また、本発明によれば、タイムスケジュールの内容を表示させる手段を備えているので、使用者はそれを簡単に確認できて、条件入力手段からダイジェスト作成条件を変更でき、微調整も簡単にできる。
【００５３】
また、本発明によれば、ダイジェストの実際の再生時間が、使用者から入力された前記再生時間に最も近くなるように、前記作成条件を設定するので、使用者は再生時間を入力するだけでよく、操作が簡略化できる。
【００５４】
また、本発明によれば、タイムスケジュール作成手段が、ダイジェスト作成情報に合わせて作成条件を設定するので、使用者が作成条件の細かいところまで設定する必要がなく、操作が簡単になる。
【００５５】
本発明によれば、ストリーム情報の通常再生指示が入力された場合、ダイジェスト再生より通常再生を優先するので、ダイジェスト再生中であっても、通常再生を行うことができる。
【図面の簡単な説明】
【図１】本発明のダイジェスト作成装置の一実施形態を示すブロック図である。
【図２】ダイジェスト設定の選択画面を示す説明図である。
【図３】ダイジェスト時間の設定入力画面を示す説明図である。
【図４】ダイジェスト時間の具体的設定をした場合の画面を示す説明図である。
【図５】ダイジェスト作成条件の詳細設定の変更入力画面を示す説明図である。
【図６】ダイジェスト作成条件の詳細設定の設定入力画面を示す説明図である。
【図７】ダイジェスト作成条件の詳細設定の具体的設定をした場合の画面を示す説明図である。
【図８】ダイジェスト時間の変更入力画面を示す説明図である。
【符号の説明】
１  再生機器
２  表示装置
１１  データスライサ
１２  データデコーダ
１３  メモリ
１４  映像信号処理部
１５  制御部
１６  スケジュール作成部
１７  ＯＳＤ出力部
１８  設定条件処理部
１９  映像出力部
２０  音声出力部
２１  入力インターフェース部
２２  入力装置
２３  入力手段
２４  ダイジェスト作成情報取得手段
２５  ダイジェスト作成手段
【図１】
0003640615.tif 000002
【図２】
0003640615.tif 000003
【図３】
0003640615.tif 000004
【図４】
0003640615.tif 000005
【図５】
0003640615.tif 000006
【図６】
0003640615.tif 000007
【図７】
0003640615.tif 000008
【図８】
0003640615.tif 000009